(57)【要約】【課題】記録媒体にブロック暗号化されたデータを特殊再生が可能になるように記録し、このデータを再生することができる装置及び方法を提供する。【解決手段】デジタル信号記録再生装置は、受信したトランスポートパケットのペイロード長がブロック暗号化の際のブロック長の整数倍に等しくなるようにダミーデータを付加するデータ付加部５１と、ダミーデータが付加されたペイロードをブロック暗号方式により暗号化する暗号化部５２と、暗号化されたペイロードを持つトランスポートパケットを記録媒体に記録するデータ記録部５３と、記録媒体からトランスポートパケットを読み出すデータ読み出し部５５と、データ読み出し部５５により読み出されたトランスポートパケットのペイロードを復号する復号化部５６と、復号されたペイロードに付加されているダミーデータを削除するダミーデータ削除部５７とを有する。【選択図】        図５    
2005331994.tif 000002
【特許請求の範囲】
【請求項１】
受信したトランスポートパケットのペイロード長がブロック暗号化の際のブロック長の整数倍に等しくなるようにダミーデータを付加するデータ付加手段と、
前記データ付加手段によりダミーデータが付加されたペイロードをブロック暗号方式により暗号化する暗号化手段と、
前記暗号化手段により暗号化されたペイロードを持つトランスポートパケットを記録媒体に記録する記録手段と、
前記記録媒体からトランスポートパケットを読み出す読み出し手段と、
前記読み出し手段により読み出されたトランスポートパケットのペイロードを復号する復号手段と、
前記復号手段により復号されたペイロードに付加されているダミーデータを削除するデータ削除手段と
を有すること特徴とするデジタル信号記録再生装置。
【請求項２】
受信したトランスポートパケットのペイロード長がブロック暗号化の際のブロック長の整数倍に等しくなるようにダミーデータを付加するデータ付加手段と、
前記データ付加手段によりダミーデータが付加されたペイロードをブロック暗号方式により暗号化する暗号化手段と、
前記暗号化手段により暗号化されたペイロードを持つトランスポートパケットを記録媒体に記録する記録手段と
を有すること特徴とするデジタル信号記録装置。
【請求項３】
ペイロード長がブロック暗号化の際のブロック長の整数倍に等しくなるようにダミーデータが付加され、その後ペイロードがブロック暗号方式により暗号化されたトランスポートパケットが記録されている記録媒体から、前記トランスポートパケットを読み出す読み出し手段と、
前記読み出し手段により読み出されたトランスポートパケットのペイロードを復号する復号手段と、
前記復号手段により復号されたペイロードに付加されているダミーデータを削除するデータ削除手段と
を有すること特徴とするデジタル信号再生装置。
【請求項４】
受信したトランスポートパケットのペイロード長がブロック暗号化の際のブロック長の整数倍に等しくなるようにダミーデータを付加し、
前記ダミーデータが付加されたペイロードをブロック暗号方式により暗号化し、
前記暗号化されたペイロードを持つトランスポートパケットを記録媒体に記録し、
前記記録媒体からトランスポートパケットを読み出し、
前記記録媒体から読み出されたトランスポートパケットのペイロードを復号し、
前記復号されたペイロードに付加されているダミーデータを削除する
こと特徴とするデジタル信号記録再生方法。
【請求項５】
受信したトランスポートパケットのペイロード長がブロック暗号化の際のブロック長の整数倍に等しくなるようにダミーデータを付加し、
前記ダミーデータが付加されたペイロードをブロック暗号方式により暗号化し、
前記暗号化されたペイロードを持つ前記トランスポートパケットを記録媒体に記録する
こと特徴とするデジタル信号記録方法。
【請求項６】
ペイロード長がブロック暗号化の際のブロック長の整数倍に等しくなるようにダミーデータが付加され、その後ペイロードがブロック暗号方式により暗号化されたトランスポートパケットが記録されている記録媒体から、前記トランスポートパケットを読み出し、
前記読み出されたトランスポートパケットのペイロードを復号し、
前記復号されたペイロードに付加されているダミーデータを削除する
こと特徴とするデジタル信号再生方法。
【発明の詳細な説明】
【技術分野】
【０００１】
本発明は、デジタル符号化されたデータをブロック暗号化して記録又は再生する装置及び方法に関するものである。
【背景技術】
【０００２】
例えば、特開２０００−３３１４２１号公報（特許文献１）には、ＭＰＥＧ２（Ｍｏｖｉｎｇ  Ｐｉｃｔｕｒｅ  Ｅｘｐｅｒｔｓ  Ｇｒｏｕｐ  Ｐｈａｓｅ２）画像データの各フレーム構造を判定して、各フレーム構造を識別する識別子をトランスポートパケット（ＴＳパケット）に組み込んで記録する技術、及び、記録されたデータを特殊再生する際に、識別子に基づいて特殊再生に必要なフレーム構造を有するＴＳパケットのみを選別して復号する技術が開示されている。
【０００３】
また、デジタルコンテンツの著作権保護の観点から、コンテンツを暗号化して記録することが求められている。トランスポートストリーム等のような大量のデータを暗号化するためには、データ（平文）を一定の長さのブロックに区切り、そのブロック単位で暗号化や復号化を行うブロック暗号方式が適している。
【０００４】
【特許文献１】特開２０００−３３１４２１号公報
【発明の開示】
【発明が解決しようとする課題】
【０００５】
ところで、ブロック暗号方式においては、暗号ブロックの先頭から復号を開始しないと
正しい復号ができない。しかし、従来の記録再生装置において再生（特殊再生をも含む。）を行う場合には、記録媒体でランダムアクセスがなされるので、アクセスされたＴＳパケットのペイロードの先頭が暗号ブロックの先頭であるとは限らず、ブロック暗号化されたデータの再生ができなかった。
【０００６】
そこで、本発明は上記したような従来技術の課題を解決するためになされたものであり、その目的とするところは、記録媒体にブロック暗号化されたデータを再生が可能になるように記録するデジタル信号記録装置及び記録方法、記録媒体に記録されたブロック暗号化されたデータを再生することができるデジタル信号再生装置及び再生方法、並びに、記録媒体にブロック暗号化されたデータを再生が可能になるように記録し、このデータを再生することができるデジタル信号記録再生装置及び記録再生方法を提供することにある。
【課題を解決するための手段】
【０００７】
参考例のデジタル信号記録再生装置は、
受信されたトランスポートパケットのペイロードをブロック暗号方式により暗号化する暗号化手段と、
前記ペイロードの先頭が暗号ブロックの先頭であるか否かを示す暗号ブロック先頭情報を前記トランスポートパケットに付加する暗号ブロック先頭情報付加手段と、
前記暗号ブロック先頭情報が付加されたトランスポートパケットを記録媒体に記録する記録手段と、
前記記録媒体からトランスポートパケットを読み出す読み出し手段と、
前記読み出し手段により読み出されたトランスポートパケットのペイロードの先頭が暗号ブロックの先頭であるか否かを暗号ブロック先頭情報に基づいて解析し、ペイロードの先頭が暗号ブロックの先頭であるトランスポートパケットから出力を開始する暗号ブロック先頭情報解析手段と、
前記暗号ブロック先頭情報解析手段から出力されたトランスポートパケットを復号する復号手段と
を有することを特徴としている。
【０００８】
参考例のデジタル信号記録再生装置は、前記暗号ブロック先頭情報付加手段による暗号ブロック先頭情報の付加を、トランスポートパケットのアダプテーションフィールドに暗号ブロック先頭情報をプライベートデータバイトとして挿入することによって行うことを特徴としている。
【０００９】
参考例のデジタル信号記録再生装置は、前記暗号ブロック先頭情報付加手段による暗号ブロック先頭情報の付加を、トランスポートパケット毎にトランスポートパケットヘッダの直前の領域に暗号ブロック先頭情報を付加することによって行うことを特徴としている。
【００１０】
請求項１に係るデジタル信号記録再生装置は、
受信したトランスポートパケットのペイロード長がブロック暗号化の際のブロック長の整数倍に等しくなるようにダミーデータを付加するデータ付加手段と、
前記データ付加手段によりダミーデータが付加されたトランスポートパケットのペイロードをブロック暗号方式により暗号化する暗号化手段と、
前記暗号化手段により暗号化されたペイロードを持つトランスポートパケットを記録媒体に記録する記録手段と、
前記記録媒体からトランスポートパケットを読み出す読み出し手段と、
前記読み出し手段により読み出されたトランスポートパケットのペイロードを復号する復号手段と、
前記復号手段により復号されたペイロードに付加されているダミーデータを削除するデータ削除手段と
を有すること特徴としている。
【００１１】
参考例のデジタル信号記録装置は、
受信されたトランスポートパケットのペイロードをブロック暗号方式により暗号化する暗号化手段と、
前記ペイロードの先頭が暗号ブロックの先頭であるか否かを示す暗号ブロック先頭情報を前記トランスポートパケットに付加する暗号ブロック先頭情報付加手段と、
前記号ブロック先頭情報が付加されたトランスポートパケットを記録媒体に記録する記録手段と
を有することを特徴としている。
【００１２】
参考例のデジタル信号記録装置は、前記暗号ブロック先頭情報付加手段による暗号ブロック先頭情報の付加を、トランスポートパケットのアダプテーションフィールドに暗号ブロック先頭情報をプライベートデータバイトとして挿入することによって行うことを特徴としている。
【００１３】
参考例のデジタル信号記録装置は、前記暗号ブロック先頭情報付加手段による暗号ブロック先頭情報の付加を、トランスポートパケット毎にトランスポートパケットヘッダの直前の領域に暗号ブロック先頭情報を付加することによって行うことを特徴としている。
【００１４】
請求項２に係るデジタル信号記録装置は、
受信したトランスポートパケットのペイロード長がブロック暗号化の際のブロック長の整数倍に等しくなるようにダミーデータを付加するデータ付加手段と、
前記データ付加手段によりダミーデータが付加されたペイロードをブロック暗号方式により暗号化する暗号化手段と、
前記暗号化手段により暗号化されたペイロードを持つトランスポートパケットを記録媒体に記録する記録手段と
を有すること特徴としている。
【００１５】
参考例のデジタル信号再生装置は、
ペイロードがブロック暗号方式により暗号化され、かつ、前記ペイロードの先頭が暗号ブロックの先頭であるか否かを示す暗号ブロック先頭情報が付加されたトランスポートパケットが記録されている記録媒体から、前記トランスポートパケットを読み出す読み出し手段と、
前記読み出し手段により読み出されたトランスポートパケットのペイロードの先頭が暗号ブロックの先頭であるか否かを暗号ブロック先頭情報に基づいて解析し、ペイロードの先頭が暗号ブロックの先頭であるトランスポートパケットから出力を開始する暗号ブロック先頭情報解析手段と、
前記暗号ブロック先頭情報解析手段から出力されたトランスポートパケットを復号する復号手段と
を有することを特徴としている。
【００１６】
請求項３に係るデジタル信号再生装置は、
ペイロード長がブロック暗号化の際のブロック長の整数倍に等しくなるようにダミーデータが付加され、その後ペイロードがブロック暗号方式により暗号化されたトランスポートパケットが記録されている記録媒体から、前記トランスポートパケットを読み出す読み出し手段と、
前記読み出し手段により読み出されたトランスポートパケットのペイロードを復号する復号手段と、
前記復号手段により復号されたペイロードに付加されているダミーデータを削除するデータ削除手段と
を有すること特徴としている。
【００１７】
参考例のデジタル信号記録再生方法は、
受信されたトランスポートパケットのペイロードをブロック暗号方式により暗号化し、
前記ペイロードの先頭が暗号ブロックの先頭であるか否かを示す暗号ブロック先頭情報を前記トランスポートパケットに付加し、
前記暗号ブロック先頭情報が付加されたトランスポートパケットを記録媒体に記録し、
前記記録媒体からトランスポートパケットを読み出し、
前記記録媒体から読み出されたトランスポートパケットのペイロードの先頭が暗号ブロックの先頭であるか否かを暗号ブロック先頭情報に基づいて解析し、
ペイロードの先頭が暗号ブロックの先頭であるトランスポートパケットから復号を開始する
ことを特徴としている。
【００１８】
参考例のデジタル信号記録再生方法は、前記暗号ブロック先頭情報の付加を、トランスポートパケットのアダプテーションフィールドに暗号ブロック先頭情報をプライベートデータバイトとして挿入することによって行うことを特徴としている。
【００１９】
参考例のデジタル信号記録再生方法は、前記暗号ブロック先頭情報の付加を、トランスポートパケット毎にトランスポートパケットヘッダの直前の領域に暗号ブロック先頭情報を付加することによって行うことを特徴としている。
【００２０】
請求項４に係るデジタル信号記録再生方法は、
受信したトランスポートパケットのペイロード長がブロック暗号化の際のブロック長の整数倍に等しくなるようにダミーデータを付加し、
前記ダミーデータが付加されたトランスポートパケットのペイロードをブロック暗号方式により暗号化し、
前記暗号化されたペイロードを持つトランスポートパケットを記録媒体に記録し、
前記記録媒体からトランスポートパケットを読み出し、
前記記録媒体から読み出されたトランスポートパケットのペイロードを復号し、
前記復号されたペイロードに付加されているダミーデータを削除する
こと特徴としている。
【００２１】
参考例のデジタル信号記録方法は、
受信されたトランスポートパケットのペイロードをブロック暗号方式により暗号化し、
前記ペイロードの先頭が暗号ブロックの先頭であるか否かを示す暗号ブロック先頭情報を前記トランスポートパケットに付加し、
前記暗号ブロック先頭情報が付加されたトランスポートパケットを記録媒体に記録する
ことを特徴としている。
【００２２】
参考例のデジタル信号記録方法は、前記暗号ブロック先頭情報の付加を、トランスポートパケットのアダプテーションフィールドに前記暗号ブロック先頭情報をプライベートデータバイトとして挿入することによって行うことを特徴としている。
【００２３】
参考例のデジタル信号記録方法は、前記暗号ブロック先頭情報の付加を、トランスポートパケット毎にトランスポートパケットヘッダの直前の領域に前記暗号ブロック先頭情報を付加することによって行うことを特徴としている。
【００２４】
請求項５に係るデジタル信号記録方法は、
受信したトランスポートパケットのペイロード長がブロック暗号化の際のブロック長の整数倍に等しくなるようにダミーデータを付加し、
前記ダミーデータが付加されたトランスポートパケットのペイロードをブロック暗号方式により暗号化し、
前記暗号化されたペイロードを持つ前記トランスポートパケットを記録媒体に記録する
こと特徴としている。
【００２５】
参考例のデジタル信号再生方法は、
ペイロードがブロック暗号方式により暗号化され、かつ、前記ペイロードの先頭が暗号ブロックの先頭であるか否かを示す暗号ブロック先頭情報が付加されたトランスポートパケットが記録されている記録媒体から、前記トランスポートパケットを読み出し、
前記読み出されたトランスポートパケットのペイロードの先頭が暗号ブロックの先頭であるか否かを暗号ブロック先頭情報に基づいて解析し、
ペイロードの先頭が暗号ブロックの先頭であるトランスポートパケットから復号を開始する
ことを特徴としている。
【００２６】
請求項６に係るデジタル信号再生方法は、
ペイロード長がブロック暗号化の際のブロック長の整数倍に等しくなるようにダミーデータが付加され、その後ペイロードがブロック暗号方式により暗号化されたトランスポートパケットが記録されている記録媒体から、前記トランスポートパケットを読み出し、
前記読み出されたトランスポートパケットのペイロードを復号し、
前記復号されたペイロードに付加されているダミーデータを削除する
こと特徴としている。
【発明の効果】
【００２７】
請求項１のデジタル信号記録再生装置によれば、ＴＳパケットのペイロードの先頭が必ず暗号ブロック先頭となるよう調整されているので、通常再生開始時や、特殊再生を含むランダムアクセス時でも確実に再生を行うことができる。
【００２８】
また、請求項２のデジタル信号記録装置によれば、ＴＳパケットのペイロードの先頭が必ず暗号ブロック先頭となるよう調整されているので、通常再生開始時や、特殊再生を含むランダムアクセス時でも確実に再生を行うことができる。
【００２９】
また、請求項３のデジタル信号再生装置によれば、ＴＳパケットのペイロードの先頭が必ず暗号ブロック先頭となるよう調整されているので、通常再生開始時や、特殊再生を含むランダムアクセス時でも確実に再生を行うことができる。
【００３０】
また、請求項４のデジタル信号記録再生方法によれば、ＴＳパケットのペイロードの先頭が必ず暗号ブロック先頭となるよう調整されているので、通常再生開始時や、特殊再生を含むランダムアクセス時でも確実に再生を行うことができる。
【００３１】
また、請求項５のデジタル信号記録方法によれば、ＴＳパケットのペイロードの先頭が必ず暗号ブロック先頭となるよう調整されているので、通常再生開始時や、特殊再生を含むランダムアクセス時でも確実に再生を行うことができる。
【００３２】
また、請求項６のデジタル信号再生方法によれば、ＴＳパケットのペイロードの先頭が必ず暗号ブロック先頭となるよう調整されているので、通常再生開始時や、特殊再生を含むランダムアクセス時でも確実に再生を行うことができる。
【発明を実施するための最良の形態】
【００３３】
先ず、実施の形態１から４までに係るデジタル信号記録再生装置が受信するデジタル符号化信号であるＭＰＥＧ２方式のトランスポートストリーム（ＴＳ）について説明する。図２は、ＴＳを構成するトランスポートパケット（ＴＳパケット）の模式図である。１つのＴＳパケットは１８８バイトの固定長パケットサイズで構成され、パケットヘッダ（以下「ヘッダ」という。）には４バイトのサイズが割り当てられている。図２に示されるように、ＴＳパケットのヘッダを除いた１８４バイトは、アダプテーションフィールド及び／又はペイロード（データ部）で構成される。アダプテーションフィールドとペイロードが共存するときは、アダプテーションフィールドが常にペイロード前方に存在する。すなわち、ＴＳパケットの構造には、“ヘッダ＋ペイロード”構造、“ヘッダ＋アダプテーションフィールド”構造、及び、“ヘッダ＋アダプテーションフィールド＋ペイロード”構造の３種類がある。ペイロードは、音声や画像等のメインデータのＰＥＳパケットにより構成される。
【００３４】
アダプテーションフィールドは、プライベートデータバイトフィールドにより、サイズを拡張できるようになっている。アダプテーションフィールド内のトランスポート・プライベイト・データ・フラグ（ｔｒａｎｓｕｐｏｒｔ＿ｐｒｉｖａｔｅ＿ｄａｔａ＿ｆｌａｇ）が‘１’の場合、プライベートデータバイトが存在することを示し、この場合、トランスポート・プライベイト・データ・レングス（ｔｒａｎｓｐｏｒｔ＿ｐｒｉｖａｔｅ＿ｄａｔａ＿ｌｅｎｇｔｈ）フィールドによりプライベートデータバイトのバイト数を示すようになっている。
【００３５】
次に、ストリーム等、大量のデータの暗号化に用いられる共通鍵ブロック暗号方式について説明する。共通鍵暗号方式では、暗号化と復号化のそれぞれにおいて同一の秘密鍵を用いる。共通鍵ブロック暗号方式は、平文を一定のブロック長毎に区切って、共通鍵を用いて暗号化処理を行い、復号の際も同じブロック単位に共通鍵を用いて復号を行う。
【００３６】
実施の形態１．
図１は、実施の形態１に係るデジタル信号記録再生装置（実施の形態１に係るデジタル信号記録再生方法を実施する装置）を示すブロック図である。
【００３７】
図１に示されるように、実施の形態１に係るデジタル信号記録再生装置は、受信されたＴＳパケットのペイロードをブロック暗号方式により暗号化する暗号化部１１と、ペイロードの先頭が暗号ブロックの先頭であるか否かを示す暗号ブロック先頭フラグをＴＳパケットに付加する暗号ブロック先頭フラグ付加部１２と、暗号ブロック先頭フラグが付加されたＴＳパケットを記録媒体１４に記録するデータ記録部１３とを有する。また、実施の形態１に係るデジタル信号記録再生装置は、記録媒体１４からＴＳパケットを読み出すデータ読み出し部１５と、このデータ読み出し部１５により読み出されたＴＳパケットのペイロードの先頭が暗号ブロックの先頭であるか否かを暗号ブロック先頭フラグに基づいて解析し、ペイロードの先頭が暗号ブロックの先頭であるＴＳパケットから出力を開始する暗号ブロック先頭フラグ解析部１６と、暗号ブロック先頭フラグ解析部１６から出力されたＴＳパケットを復号する復号化部１７とを有する。
【００３８】
記録媒体１４は、デジタル信号記録再生装置の一部として備えられている記憶装置（例えば、ハードディスク装置等）である場合と、デジタル信号記録再生装置に挿入及び取り出しできる記録媒体（例えば、光ディスクや磁気ディスク等）である場合とがある。
【００３９】
まず、記録媒体１４への暗号ブロックの記録について説明する。デジタル放送用のチューナ等（図示せず）で受信されたＴＳは、まず暗号化部１１に送られる。暗号化部１１は、ＴＳパケットのペイロードの先頭から、共通鍵ブロック暗号方式によりＮバイト（Ｎは所定の正の整数）のブロック単位の暗号化が行われる。暗号ブロック長とペイロード長が整数倍関係にあるとは限らないので、ＴＳパケットのペイロード部分をブロック暗号化する場合には、必ずしもＴＳパケットのペイロードの先頭が暗号ブロックの先頭になるとは限らない。
【００４０】
暗号ブロック先頭フラグ付加部１２は、暗号ブロックの先頭がＴＳパケットのペイロードの先頭であるか否かを示す暗号ブロック先頭フラグを、ＴＳパケットに挿入する。暗号ブロック先頭フラグ付加部１２で暗号ブロック先頭フラグが付加されたＴＳパケットは、データ記録部１３に送られる。データ記録部は、暗号ブロック先頭フラグが付加されたＴＳパケットを記録媒体１４に記録する。
【００４１】
次に、記録媒体１４に記録されているデータの再生について説明する。記録媒体１４に記録されているデータは、データ読み出し部１５によりＴＳパケット単位で読み出される。読み出されたＴＳパケットは、暗号ブロック先頭フラグ解析部１６に送られる。ここでは、ランダムアクセスを含む再生開始指示後、暗号ブロック先頭がＴＳパケットのペイロードと一致したパケットを検出していなければ、まず暗号ブロック先頭フラグを解析する。その結果、ＴＳパケットのペイロードの先頭が暗号ブロックの先頭であることを示している場合、復号化部１７に転送し、そのＴＳパケットから復号を開始する。ペイロード先頭が暗号ブロックの先頭でない場合、そのＴＳパケットは削除する。再生開始指示を受信してしばらくの間は、ＴＳパケットのペイロード先頭が暗号ブロック先頭でない可能性が高く、ＴＳパケットのペイロード先頭が暗号ブロック先頭であるＴＳパケットを検出するまで、ＴＳパケットは削除されることになる。一度、暗号ブロック先頭がＴＳパケットペイロードと一致したパケットを検出すれば、暗号ブロック先頭フラグは解析せず、復号化部１７にデータを渡し、復号を行う。
【００４２】
ランダムアクセスが発生する毎に、上記したように暗号ブロック先頭フラグの解析による復号開始ポイントのサーチを行う。復号されたＴＳパケットは、暗号ブロック先頭フラグが除去され、後段のデマルチプレクサ（図示せず）に出力さら、再生部で映像又は音声に再生される。
【００４３】
以上説明したように、実施の形態１に係るデジタル信号記録再生装置においては、ＴＳパケット毎に暗号ブロック先頭フラグを付加してから記録媒体１４にＴＳパケットを記録するため、通常再生開始時や特殊再生等のランダムアクセス時に、ペイロード先頭が暗号ブロックの先頭であるＴＳパケットを容易に検出でき、これにより確実に復号を開始することができる。
【００４４】
また、実施の形態１に係るデジタル信号記録再生装置の構成の中のデータ記録のための構成（暗号化部１１、暗号ブロック先頭フラグ付加部１２、及びデータ記録部１３）から、デジタル信号記録装置（実施の形態１に係るデジタル信号記録方法を実施する装置）を独立した装置として構成することもできる。また、実施の形態１に係るデジタル信号記録再生装置の構成の中のデータ再生のための構成（データ読み出し部１５、暗号ブロック先頭フラグ解析部１６、及び復号化部１７）から、デジタル記録再生装置（実施の形態１に係るデジタル信号再生方法を実施する装置）を独立した装置として構成することもできる。
【００４５】
実施の形態２．
図３は、実施の形態２に係るデジタル信号記録再生装置における暗号ブロック先頭フラグ挿入位置を示す図である。実施の形態２に係るデジタル信号記録再生装置においては、図３に示されるように、ブロック先頭フラグ挿入位置をＴＳパケットのアダプテーションフィールドのプライベートデータバイトに挿入している。また、上記プライベートデータバイトに挿入する暗号ブロック先頭フラグは、暗号ブロックの先頭がＴＳパケットペイロードの先頭であるときのみ挿入するようにしてもよい。
【００４６】
再生開始時、データ読み出し部１５から読み出されたＴＳパケットは、暗号ブロック先頭フラグ解析部１６に送られるが、ここではアダプテーションフィールドのプライベートデータバイトに挿入された上記暗号ブロック先頭フラグを解析し、その結果、ＴＳパケットのペイロード先頭が暗号ブロックの先頭に一致していることを示す場合に、始めてＴＳパケットを復号化部１７に転送し、復号を開始する。この復号化処理によって得られた映像信号は、ディスプレイに動画として表示される。
【００４７】
実施の形態２に係るデジタル信号記録再生装置は、以上のように暗号ブロック先頭フラグをアダプテーションフィールドのプライベートデータバイトに挿入して記録するため、ＭＰＥＧ規格に準拠したフォーマットで記録でき、また通常再生開始時や特殊再生等のランダムアクセス時に、ペイロードが暗号ブロックの先頭であるＴＳパケットを容易に検出でき、これにより確実に復号を開始することができる。
【００４８】
なお、実施の形態２において、上記以外の点は、上記実施の形態１と同じである。
【００４９】
実施の形態３．
図４は、実施の形態３に係るデジタル信号記録再生装置における暗号ブロック先頭フラグ挿入位置を示す図である。実施の形態３に係るデジタル信号記録再生装置においては、図４に示されるように、暗号ブロック先頭フラグ付加部１２の暗号ブロック先頭フラグの付加位置を、ＴＳパケットのヘッダの前に付加するようにしている。
【００５０】
再生開始時、データ読み出し部１５から読み出されたＴＳパケットは、暗号ブロック先頭フラグ解析部１６に送られるが、ここではＴＳパケットのヘッダ直前に付加された上記暗号ブロック先頭フラグを解析し、その結果、ＴＳパケットのペイロード先頭が暗号ブロックの先頭に一致していることを示す場合に、始めてＴＳパケットを復号化部１７に転送し、復号を開始する。なお、復号化部１７に転送するＴＳパケットは、暗号ブロック先頭フラグが除去されている。
【００５１】
実施の形態３に係るデジタル信号記録再生装置は、以上のように暗号ブロック先頭フラグをＴＳパケットヘッダの直前に付加して記録するため、簡単な回路で復号開始位置の検出ができる。
【００５２】
なお、実施の形態３において、上記以外の点は、上記実施の形態１と同じである。
【００５３】
実施の形態４
図５は、本発明の実施の形態４に係るデジタル信号記録再生装置（実施の形態４に係るデジタル信号記録再生方法を実施する装置）を示すブロック図である。
【００５４】
図５に示されるように、実施の形態４に係るデジタル信号記録再生装置は、受信したＴＳパケットのペイロード長がブロック暗号化の際のブロック長の整数倍に等しくなるようにダミーデータ（例えば、乱数データであり、ペイロードと区別できるデータであれば何であってもよい。）を付加するダミーデータ付加部５１と、ダミーデータ付加部５１によりダミーデータが付加されたペイロードをブロック暗号方式により暗号化する暗号化部５２と、暗号化部５２により暗号化されたペイロードを持つＴＳパケットを記録媒体５４に記録するデータ記録部５３とを有する。また、実施の形態４に係るデジタル信号記録再生装置は、記録媒体５４からＴＳパケットを読み出すデータ読み出し部５５と、データ読み出し部５５により読み出されたＴＳパケットのペイロードを復号する復号化部５６と、復号化部５６により復号されたペイロードに付加されているダミーデータを削除するダミーデータ除去部５７とを有する。
【００５５】
記録媒体５４は、デジタル信号記録再生装置の一部として備えられている記憶装置（例えば、ハードディスク装置等）である場合と、デジタル信号記録再生装置に挿入及び取り出しできる記録媒体（例えば、光ディスクや磁気ディスク等）である場合とがある。
【００５６】
また、実施の形態４に係るデジタル信号記録再生装置の構成の中のデータ記録のための構成（ダミーデータ付加部５１、暗号化部５２、及びデータ記録部５３）から、デジタル信号記録装置（実施の形態４に係るデジタル信号記録方法を実施する装置）を構成することもできる。また、実施の形態４に係るデジタル信号記録再生装置の構成の中のデータ再生のための構成（データ読み出し部５５、復号化部５６、及びダミーデータ除去部５７）から、デジタル記録再生装置（実施の形態４に係るデジタル信号再生方法を実施する装置）を構成することもできる。
【００５７】
実施の形態１、２、３では、暗号化部１１では暗号化処理と同時に、暗号ブロック先頭フラグ付加部１２で暗号ブロックの先頭を示す暗号フラグを付加し、暗号ブロック先頭フラグ解析部１６ではランダムアクセス開始時に本フラグの参照により、必ず暗号ブロックの先頭から復号を開始できるようにしていた。実施の形態４では、全ＴＳパケットのペイロード先頭が必ず暗号ブロックの先頭になるように調整を行う。
【００５８】
デジタル放送用のチューナ等で受信されたＴＳパケットは、まずダミーデータ付加部５１に送られる。ＴＳパケットのペイロード長と暗号ブロック長は必ずしも整数倍の関係にはないため、ＴＳパケットのペイロードの最後の部分が暗号ブロック長に満たなくなる場合がある。ダミーデータ付加部５１は、暗号ブロック長の整数倍に等しくなるように、ペイロードに乱数データのダミーデータを付加する。次に、暗号化部５２に送られ、ＴＳパケットのペイロードの先頭から、暗号化が行われる。暗号化部５２で暗号ブロック先頭フラグが付加されたＴＳパケットは、データ記録部５３に送られ、記録媒体５４に記録される。
【００５９】
次に、記録媒体５４に記録されているデータの再生について説明する。記録媒体５４に記録されているデータは、データ読み出し部５５によりＴＳパケット単位で読み出される。
【００６０】
読み出したＴＳパケットのペイロードの先頭は、必ず暗号ブロックの先頭となるように作成されているため、ダミーデータを付加したＴＳパケット単位で復号していく限り、復号化部５６はそのままＴＳパケットを復号できる。復号後、ダミーデータ削除部５７で、ＴＳパケットに付加されたダミーデータが削除され、後段のデマルチプレクサ（図示せず）等にＴＳパケットが出力され、映像又は音声が再生される。
【００６１】
実施の形態４に係るデジタル信号記録再生装置は、以上のようにダミーデータを付加することにより、ＴＳパケットのペイロードの先頭が必ず暗号ブロック先頭となるよう調整されているため、通常再生開始時や特殊再生等のランダムアクセス時でも確実に復号することができる。
【図面の簡単な説明】
【００６２】
【図１】実施の形態１に係るデジタル信号記録再生装置の構成を示すブロック図である。
【図２】ＭＰＥＧ２におけるトランスポートストリームを構成するＴＳパケットの構成図である。
【図３】実施の形態２に係るデジタル信号記録再生装置における暗号ブロック先頭フラグ挿入位置を示す図である。
【図４】実施の形態３に係るデジタル信号記録再生装置における暗号ブロック先頭フラグ付加位置を示す図である。
【図５】本発明の実施の形態４に係るデジタル信号記録再生装置の構成を示すブロック図である。
【符号の説明】
【００６３】
１１  暗号化部、  １２  暗号ブロック先頭フラグ付加部、  １３  データ記録部、  １４  記録媒体、  １５  データ読み出し部、  １６  暗号ブロック先頭フラグ解析部、  １７  復号化部、  ５１  ダミーデータ付加部、  ５２  暗号化部、  ５３  データ記録部、  ５４  記録媒体、  ５５  データ読み出し部、  ５６  復号化部、  ５７  ダミーデータ除去部。
【図１】
2005331994.tif 000003
【図２】
2005331994.tif 000004
【図３】
2005331994.tif 000005
【図４】
2005331994.tif 000006
【図５】
2005331994.tif 000007